(57)【要約】【課題】  無線タグ付の記憶媒体において、無線通信のときの動作の効率を向上させるための手段を提供する。【解決手段】  記憶媒体は、媒体側端子と、主記憶部と、補助記憶部と、無線通信部とを備える。媒体側端子は、電子機器に対して着脱可能に構成される。主記憶部は、不揮発性メモリを含む。補助記憶部は、主記憶部とは物理的に独立した不揮発性メモリで構成されるとともに、記憶媒体を識別するための識別データを記憶する。無線通信部は、電子機器との無線通信に関する制御を行うとともに、電子機器から送信される電磁波に応じて電力を発生させる。また、主記憶部は、媒体側端子を介して電子機器から電力が供給されているときに動作するとともに、無線通信部からのみ電力が供給されているときには動作が不能化される。【選択図】  図１
2010039635.tif 000002
【特許請求の範囲】
【請求項１】
電子機器に対して着脱可能に構成された媒体側端子と、
不揮発性メモリを含む主記憶部と、
前記主記憶部とは物理的に独立した不揮発性メモリで構成されるとともに、記憶媒体を識別するための識別データを記憶する補助記憶部と、
前記電子機器との無線通信に関する制御を行うとともに、前記電子機器から送信される電磁波に応じて電力を発生させる無線通信部と、を備え、
前記主記憶部は、前記媒体側端子を介して前記電子機器から電力が供給されているときに動作するとともに、前記無線通信部からのみ電力が供給されているときには動作が不能化されることを特徴とする記憶媒体。
【請求項２】
請求項１に記載の記憶媒体において、
前記媒体側端子は、前記主記憶部および前記補助記憶部に対して前記電子機器からの電力をそれぞれ供給し、
前記無線通信部は、前記補助記憶部に電力を供給するとともに、前記主記憶部に電力を供給しないことを特徴とする記憶媒体。
【請求項３】
請求項１または請求項２に記載の記憶媒体において、
前記媒体側端子および前記無線通信部に接続されるとともに、前記主記憶部と前記補助記憶部とにそれぞれ電力を供給可能な電力供給線をさらに備え、
前記電力供給線は、前記無線通信部から前記主記憶部への電力の供給を禁止する電力供給禁止部を含むことを特徴とする記憶媒体。
【発明の詳細な説明】
【技術分野】
【０００１】
本発明は、無線タグ付の記憶媒体に関する。
【背景技術】
【０００２】
従来から、個々の記録媒体の識別を容易にするために、記憶媒体に無線タグを設けるとともに、記憶媒体に記憶されている識別用の情報を読取機器が無線通信で取得して表示する技術が提案されている。一例として、特許文献１には、無線タグ付の記憶媒体を用いるデジタルカメラシステムの構成例が開示されている。
【特許文献１】特開２００３−３０８４９３号公報
【発明の開示】
【発明が解決しようとする課題】
【０００３】
ところで、無線タグ付の記憶媒体は、無線通信のときには読取機器からの電磁誘導で供給された比較的に少ない電力で駆動する。そのため、無線通信のときに大容量のメモリを駆動させると電力のロスが大きくなり、動作の効率が著しく低下することからその対策が要望されている。
【０００４】
そこで、本発明の目的は、無線タグ付の記憶媒体において、無線通信のときの動作の効率を向上させるための手段を提供することにある。
【課題を解決するための手段】
【０００５】
一の態様の記憶媒体は、媒体側端子と、主記憶部と、補助記憶部と、無線通信部とを備える。媒体側端子は、電子機器に対して着脱可能に構成される。主記憶部は、不揮発性メモリを含む。補助記憶部は、主記憶部とは物理的に独立した不揮発性メモリで構成されるとともに、記憶媒体を識別するための識別データを記憶する。無線通信部は、電子機器との無線通信に関する制御を行うとともに、電子機器から送信される電磁波に応じて電力を発生させる。また、主記憶部は、媒体側端子を介して電子機器から電力が供給されているときに動作するとともに、無線通信部からのみ電力が供給されているときには動作が不能化される。
【０００６】
上述した一の態様の記憶媒体において、媒体側端子は、主記憶部および補助記憶部に対して電子機器からの電力をそれぞれ供給してもよい。また、無線通信部は、補助記憶部に電力を供給するとともに、主記憶部に電力を供給しないようにしてもよい。
【０００７】
上述した一の態様の記憶媒体は、媒体側端子および無線通信部に接続されるとともに、主記憶部と補助記憶部とにそれぞれ電力を供給可能な電力供給線をさらに備えていてもよい。また、電力供給線は、無線通信部から主記憶部への電力の供給を禁止する電力供給禁止部を含んでいてもよい。
【発明の効果】
【０００８】
本発明によれば、無線通信部からのみ電力が供給されているときには主記憶部の動作が不能化されて、無線通信のときの動作の効率が向上する。
【発明を実施するための最良の形態】
【０００９】
＜一の実施形態の構成の説明＞
図１は一の実施形態の電子カメラシステムの構成例を示すブロック図である。この電子カメラシステムは、電子カメラ１と無線タグ付記憶媒体２とを有している。無線タグ付記憶媒体２は、電子カメラ１に対して着脱可能に構成されている。無線タグ付記憶媒体２が電子カメラ１に装着された場合、それぞれ後述する機器側端子３０および媒体側端子４１との機械的な接触により、電子カメラ１と無線タグ付記憶媒体２との間に有線の通信経路が形成される。
【００１０】
また、無線タグ付記憶媒体２は、上記の電子カメラ１を含む各種の読取機器に対してＲＦＩＤ(Radio Frequency IDdentification)方式での無線通信を行うことが可能である。なお、図２に、無線タグ付記憶媒体２のデータを無線によって電子カメラ１で読み取る状態を模式的に示す。
【００１１】
次に、図１を参照しつつ、一の実施形態における電子カメラ１の構成を説明する。電子カメラ１は、レンズユニット１１と、第１レンズドライバ１２と、絞りドライバ１３と、シャッタドライバ１４と、第２レンズドライバ１５と、撮像素子１６と、信号処理部１７と、撮像制御部１８と、ＣＰＵ１９と、第１メモリ２０および第２メモリ２１と、表示制御部２２およびモニタ２３と、記録Ｉ／Ｆ（インターフェース）２４と、無線タグ読取制御部２５およびアンテナ２６と、操作部２７と、閃光発光部２８とを有している。
【００１２】
ここで、第１レンズドライバ１２、絞りドライバ１３、シャッタドライバ１４、第２レンズドライバ１５、信号処理部１７、撮像制御部１８、表示制御部２２、記録Ｉ／Ｆ２４、無線タグ読取制御部２５、操作部２７および閃光発光部２８は、それぞれＣＰＵ１９と接続されている。また、ＣＰＵ１９、第１メモリ２０、第２メモリ２１は、バス１９ａを介して相互に接続されている。
【００１３】
レンズユニット１１は、ズームレンズ１１ａと、フォーカシングレンズ１１ｂと、絞り１１ｃおよびシャッタ１１ｄとを内蔵している。ズームレンズ１１ａは、撮影倍率を光学的に変更するためのレンズである。このズームレンズ１１ａのレンズ位置は、第１レンズドライバ１２によって光軸方向に調整される。また、フォーカシングレンズ１１ｂは、焦点調節を行うためのレンズである。このフォーカシングレンズ１１ｂのレンズ位置は、第２レンズドライバ１５によって光軸方向に調整される。
【００１４】
また、レンズユニット１１の絞り１１ｃは、撮像素子１６に入射する単位時間当たりの光量を調節する。この絞り１１ｃの開口量は、絞りドライバ１３によって制御される。シャッタ１１ｄは、撮像素子１６への光を遮光して撮像時のシャッタスピードを調節する。このシャッタ１１ｄの動作はシャッタドライバ１４によって制御される。なお、上記の各ドライバ（１２〜１５）は、ＣＰＵ１９の指示に応じて駆動する。
【００１５】
撮像素子１６は、レンズユニット１１を通過した光束によって結像される被写体像を撮像してアナログの画像信号を生成する。この撮像素子１６の出力は信号処理部１７に接続されている。なお、一の実施形態での撮像素子１６は、静止画像の単写撮影および動画像の撮影がいずれも可能である。
【００１６】
ここで、電子カメラ１の撮影モードでは、撮像素子１６は後述のレリーズ釦２７ａの全押し操作に応答して記録用の静止画像や記録用の動画像を撮像する。また、撮影モードでの撮像素子１６は、撮影待機時にも所定間隔毎に観測用の画像（スルー画像）を連続的に撮像する。ここで、時系列に取得されたスルー画像のデータは、モニタ２３での動画表示やＣＰＵ１９による各種の演算処理に使用される。
【００１７】
信号処理部１７は、撮像素子１６の出力に対してアナログ信号処理を施すアナログフロントエンド回路である。この信号処理部１７では、相関二重サンプリングや、画像信号のゲインの調整や、画像信号のＡ／Ｄ変換が行われる。なお、信号処理部１７から出力されたデジタルの画像信号はＣＰＵ１９に入力される。
【００１８】
撮像制御部１８は、ＣＰＵ１９の指示に基づいて、撮像素子１６および信号処理部１７に対して制御パルスを供給する。なお、撮像素子１６の電荷蓄積時間や信号読みだしのタイミングは、撮像制御部１８の制御パルスによって調整されることとなる。
【００１９】
ＣＰＵ１９は、シーケンスプログラムに従って電子カメラ１の撮影動作や再生動作を統括的に制御するプロセッサである。一例として、ＣＰＵ１９は、上記のスルー画像のデータを用いて、撮影時のオートフォーカス（ＡＦ）演算、自動露出（ＡＥ）演算、オートホワイトバランス（ＡＷＢ）演算をそれぞれ公知のアルゴリズムで実行する。
【００２０】
また、ＣＰＵ１９は、各種の画像処理を行う画像処理部２９を有している。画像処理部２９は、撮像素子１６によって撮像された画像のデータに対して、色補間処理、階調変換処理、輪郭強調処理、ホワイトバランス調整などの画像処理を実行する。また、画像処理部２９は、画像の解像度変換（画素数変換）や画像のトリミング処理を実行する。
【００２１】
第１メモリ２０は、揮発性の記憶媒体（例えばＳＤＲＡＭなど）で構成される。この第１メモリ２０は、ＣＰＵ１９による画像処理の前工程や後工程で画像のデータなどを一時的に記憶する。
【００２２】
第２メモリ２１は、フラッシュメモリ等の不揮発性の記憶媒体で構成される。この第２メモリ２１には、各々の動作モードに対応するシーケンスプログラムなどが記憶される。なお、撮影モードおよび再生モードでの動作例については後述する。
【００２３】
表示制御部２２は、ＣＰＵ１９の指示に応じて、各種の表示用画像をモニタ２３に表示させるとともに、モニタ２３の点灯および消灯の制御を行う。これにより、上記のスルー画像による動画表示や、無線タグ付記憶媒体２に記憶されている画像の再生表示がモニタ２３で行われる。なお、一の実施形態でのモニタ２３は、例えば、液晶表示パネルで構成される。
【００２４】
記録Ｉ／Ｆ２４は、無線タグ付記憶媒体２が着脱可能に接続される機器側端子３０を有している。そして、記録Ｉ／Ｆ２４は、機器側端子３０を介して接続された無線タグ付記憶媒体２に対して、データの書き込み／読み込みと電力の供給とを行う。
【００２５】
無線タグ読取制御部２５は、アンテナ２６からの電磁波を介して、無線タグ付記憶媒体２との無線通信を行う。一の実施形態での電子カメラ１のアンテナ２６は、電子カメラ１の背面側に配置されている（図２参照）。なお、無線タグ付記憶媒体２と無線タグ読取制御部２５とが無線通信を行う場合、無線タグ付記憶媒体２を動作させるための電力は、電子カメラ１から送信される電磁波をキャリアとして供給される。
【００２６】
操作部２７は、ユーザーからの操作を受け付ける複数のスイッチを有している。具体的には、一の実施形態の操作部２７には、レリーズ釦２７ａ、ズーム釦２７ｂ、十字キー２７ｃ、決定釦２７ｄ、再生釦２７ｅ、削除釦２７ｆが含まれる。
【００２７】
レリーズ釦２７ａは、半押し操作による撮影前のＡＦ動作開始の指示入力と、全押し操作による撮像動作開始の指示入力とをユーザーから受け付ける。また、ズーム釦２７ｂは、ズームレンズ１１ａの移動による光学的なズーム操作や、画像の解像度変更による電子的なズーム操作をユーザーから受け付ける。また、十字キー２７ｃおよび決定釦２７ｄは、例えば、電子カメラ１の設定変更の操作や、トリミングのときに画像を切り出す位置の指定操作をユーザーから受け付ける。また、再生釦２７ｅは、撮像した画像の再生表示を行う再生モードへの移行操作をユーザーから受け付ける。また、削除釦２７ｆは、上記の再生モードにおいて、表示中の再生画像に対応する画像のデータを消去する操作をユーザーから受け付ける。
【００２８】
閃光発光部２８は、ＣＰＵ１９の指示に応じて撮影時に被写体へ閃光を照射する。例えば、閃光発光部２８は、キセノン発光管、メインコンデンサ、発光制御回路などで構成される。
【００２９】
次に、図３を参照しつつ、一の実施形態における無線タグ付記憶媒体２の構成例を説明する。無線タグ付記憶媒体２は、媒体側端子４１と、メインメモリコントローラ４２と、メインメモリ４３と、無線通信部４４およびアンテナ４５と、補助メモリコントローラ４６と、補助メモリ４７とを有している。
【００３０】
媒体側端子４１は、電子カメラ１の機器側端子３０と着脱可能に接続される。媒体側端子４１は、電子カメラ１との有線によるデータの送受と、電子カメラ１から無線タグ付記憶媒体２への有線での電力供給とに用いられる。
【００３１】
メインメモリコントローラ４２は、媒体側端子４１、メインメモリ４３および補助メモリコントローラ４６とそれぞれ接続されている。このメインメモリコントローラ４２は、媒体側端子４１を介した有線接続時のデータの送受を制御する。具体的には、メインメモリコントローラ４２は、メインメモリ４３へのデータの書き込み／読み込みを直接的に制御するとともに、補助メモリコントローラ４６を介して補助メモリ４７へのデータの書き込み／読み込みを制御する。
【００３２】
メインメモリ４３は、フラッシュメモリなどの不揮発性メモリで構成される。このメインメモリ４３には、電子カメラ１で撮影された撮像画像（静止画像または動画像）のデータが所定のファイル形式で記憶される。
【００３３】
なお、記憶媒体の識別のためにユーザーが代表画像を指定したときには、代表画像となった画像のデータには、代表画像であることを示す代表画像識別データが電子カメラ１によって付与される。例えば、撮像画像のデータがＥｘｉｆ（Exchangeable image file format for digital still cameras）規格に準拠した画像ファイルである場合には、ヘッダ領域のメーカーノートのタグを利用して上記の代表画像識別データが記録される。
【００３４】
無線通信部４４は、アンテナ４５を介して読取機器（電子カメラ１の無線タグ読取制御部２５など）との無線通信を行う。この無線通信部４４は、補助メモリコントローラ４６と接続されている。また、無線通信部４４は、読取機器側からの電磁波による電磁誘導で起電する。なお、無線通信時に無線通信部４４で生成される電力は、補助メモリコントローラ４６および補助メモリ４７に供給される。
【００３５】
補助メモリコントローラ４６は、補助メモリ４７へのデータの書き込み／読み込みを直接的に制御する。この補助メモリコントローラ４６は、有線接続時にはメインメモリコントローラ４２の指示に応じて補助メモリ４７にアクセスする一方で、無線通信時には単独で補助メモリ４７からデータを読み出すことができる。
【００３６】
補助メモリ４７は、フラッシュメモリなどの不揮発性メモリで構成される。この補助メモリ４７は、メインメモリ４３から物理的に独立した小容量メモリであって、読取機器との無線通信で読み出されるデータを記憶する。例えば、補助メモリ４７には、記憶媒体の識別のために用いられる識別画像のデータと、メインメモリ４３のディレクトリデータ（メインメモリ４３の残記憶容量やメインメモリ４３の最終更新日時）とが記憶される。なお、補助メモリ４７は、無線通信時において少ない電力で駆動するために、その記憶容量が必要最小限となるように設計されている。
【００３７】
ここで、一の実施形態での識別画像は、メインメモリ４３に記憶されている撮像画像と一対一で対応したＱＶＧＡサイズの縮小画像で構成されている。なお、一の実施形態での補助メモリ４７には、識別画像のデータは１フレーム分のみ記憶される。
【００３８】
また、一の実施形態において上述の代表画像が指定されている場合、識別画像は、上述の代表画像に対応する縮小画像で構成される。なお、代表画像が指定されていない場合、識別画像は、撮像画像のうちで最後に撮像された画像に対応する縮小画像で構成される。
【００３９】
さらに、補助メモリ４７には、上記の代表画像に関する履歴データも記憶される。一の実施形態での履歴データは、代表画像として指定された撮像画像のファイル名を記録したテキストデータで構成される。また、代表画像が変更された場合には、現在の代表画像のファイル名を先頭として変更前の代表画像のファイル名が履歴データに順次記録される。勿論、代表画像が複数回変更されたときには、過去の代表画像のファイル名がいずれも履歴データに残される。
【００４０】
一例として、ファイル名「Ａ」、「Ｂ」、「Ｃ」の撮像画像のデータが順に代表画像に指定された場合には、ＣＰＵ１９が、代表画像として新しい順に画像のデータのファイル名を記録して履歴データを生成する（「Ｃ」、「Ｂ」、「Ａ」の順）。これにより、電子カメラ１は履歴データを参照することで、代表画像の設定の有無と、過去の代表画像のファイル名とを確認することができる。
【００４１】
また、無線タグ付記憶媒体２において、メインメモリコントローラ４２、メインメモリ４３、補助メモリコントローラ４６、補助メモリ４７には、媒体側端子４１または無線通信部４４から電力を供給するための電力供給線ＰＷＲがそれぞれ接続されている。この電力供給線ＰＷＲには、第１ダイオード４８と第２ダイオード４９とが接続されている。電力供給線ＰＷＲにおいて第１ダイオード４８のアノード側には、媒体側端子４１、メインメモリコントローラ４２、メインメモリ４３が接続されている。そして、電力供給線ＰＷＲにおいて第１ダイオード４８のカソード側には、無線通信部４４、補助メモリコントローラ４６、補助メモリ４７が接続されている。また、電力供給線ＰＷＲにおいて第２ダイオード４９のアノード側には無線通信部４４のみが接続されている。
【００４２】
ここで、一の実施形態の無線タグ付記憶媒体２の動作状態を、有線接続時と無線通信時とに分けて説明する。
【００４３】
電子カメラ１と無線タグ付記憶媒体２との有線接続時には、電子カメラ１からの電力が媒体側端子４１を介して電力供給線ＰＷＲに供給される。これにより、メインメモリコントローラ４２、メインメモリ４３、補助メモリコントローラ４６および補助メモリ４７は、電子カメラ１からの電力で駆動することが可能となる。このとき、第２ダイオード４９は逆バイアスとなってアノード側には電流がほとんど流れない。そのため、無線通信部４４は媒体側端子４１からの電力で駆動しないようになっている。
【００４４】
そして、上記の有線接続のときには、メインメモリコントローラ４２は、メインメモリ４３および補助メモリ４７に記録するデータの振り分けを行う。また、メインメモリコントローラ４２は、メインメモリ４３に対して撮像画像のデータの書き込み／読み込みを行うとともに、補助メモリコントローラ４６を介して補助メモリ４７に識別画像のデータおよびディレクトリデータの書き込みを行う。よって、一の実施形態では、無線通信で補助メモリ４７にデータを書き込む場合と比べて、識別画像のデータおよびディレクトリデータを電子カメラ１から補助メモリ４７に効率よく書き込むことができる。
【００４５】
次に、読取機器（電子カメラ１）と無線タグ付記憶媒体２との無線通信の場合を説明する。この場合は、例えば、ユーザーが無線タグ付記憶媒体２の内容を確認するために、無線タグ付記憶媒体２の情報を読取機器（電子カメラ１）のモニタに表示させる場合が該当する。
【００４６】
読取機器との無線通信時には、読取機器から送信される電磁波によって、無線タグ付記憶媒体２の無線通信部４４が補助メモリコントローラ４６および補助メモリ４７に電力を供給する。このとき、第１ダイオード４８は逆バイアスとなってアノード側には電流がほとんど流れない。そのため、無線通信時には、メインメモリコントローラ４２およびメインメモリ４３が無線通信部４４からの電力で駆動しないようになっている。よって、一の実施形態では、無線通信部４４からのみ電力が供給されているときには、比較的大きな電力を消費するメインメモリ４３やメインメモリコントローラ４２が駆動しないので、記憶媒体から無線通信でデータを読み出すときの動作の効率および応答性が向上する。
【００４７】
そして、補助メモリコントローラ４６は、読取機器からの要求に応じて、識別画像のデータおよびディレクトリデータを補助メモリ４７から読み出す。その後、無線通信部４４はアンテナ４５を介して識別画像のデータおよびディレクトリデータを読取機器に送信する。これにより、読取機器は、識別画像のデータおよびディレクトリデータを取得して、これらをモニタに表示させることができる。
【００４８】
＜撮影モードの動作説明＞
以下、図４の流れ図を参照しつつ、一の実施形態における電子カメラ１の撮影モードでの動作例を説明する。一の実施形態での撮影モードには、静止画の撮影を行う「静止画撮影モード」と、動画像の撮影を行う「動画撮影モード」との２つのサブモードが含まれる。なお、「静止画撮影モード」と「動画撮影モード」との切り替えは、操作部２７からの操作に応じてＣＰＵ１９が行う。
【００４９】
また、撮影モードでの一連の処理は、電子カメラ１の電源オンの操作をトリガとして開始される。なお、撮影モードにおける電子カメラ１の動作は、ＣＰＵ１９の実行するプログラムによって制御される。
【００５０】
（ステップＳ１０１）
ＣＰＵ１９は、電源の投入に応じて、電子カメラ１のシステムの初期化を行う。このとき、ＣＰＵ１９は、レンズユニット１１を撮影可能な位置に繰り出すとともに、ズームレンズ１１ａおよびフォーカシングレンズ１１ｂのレンズ位置を初期位置に移動させて、レンズの初期化を行う。
【００５１】
（ステップＳ１０２）
ＣＰＵ１９は、撮像素子１６を駆動させてスルー画像の撮像を開始する。その後、スルー画像は所定間隔ごとに逐次生成されることとなる。
【００５２】
（ステップＳ１０３）
ＣＰＵ１９は、モニタ２３を点灯させるとともに、スルー画像に基づく撮影画面の動画表示を開始する。したがって、ユーザーは、撮影モードのときにモニタ２３の画像を参照しつつ、撮影構図を決定するためのフレーミングや、ズーム釦２７ｂの操作によるズーミングを行うことができる。
【００５３】
（ステップＳ１０４）
ＣＰＵ１９は、操作部２７の状態を読み出して、電子カメラ１の動作モードが撮影モードに設定されているか否かを判定する。一例として、ＣＰＵ１９は、再生釦２７ｅの押圧操作を受け付けたときには再生モードを立ち上げるため、Ｓ１０４においてＮＯ側の判定を行う。上記要件を満たす場合（ＹＥＳ側）にはＳ１０６に移行する。一方、上記要件を満たさない場合（ＮＯ側）にはＳ１０５に移行する。
【００５４】
（ステップＳ１０５）
ＣＰＵ１９は、撮像素子１６の駆動を停止させてスルー画像の撮像を終了する。これにより、モニタ２３での撮影画面の動画表示も中断することとなる。その後、ＣＰＵ１９は、後述する再生モードのＳ３０１の処理を開始する。
【００５５】
（ステップＳ１０６）
ＣＰＵ１９は、スルー画像のデータを用いて、ＡＦ演算、ＡＥ演算、ＡＷＢ演算をそれぞれ実行する。なお、Ｓ１０６でのＡＦ演算、ＡＥ演算、ＡＷＢ演算は、撮影モードにおいてレリーズ釦２７ａが半押しされるまでの間、周期的に行われることとなる。
【００５６】
（ステップＳ１０７）
ＣＰＵ１９は、レリーズ釦２７ａが半押しされたか否かを判定する。レリーズ釦２７ａが半押しされた場合（ＹＥＳ側）にはＳ１１０に移行する。一方、レリーズ釦２７ａが半押しされていない場合（ＮＯ側）にはＳ１０８に移行する。
【００５７】
（ステップＳ１０８）
ＣＰＵ１９は、電源オフの操作を受け付けたか否かを判定する。上記要件を満たす場合（ＹＥＳ側）にはＳ１０９に移行する。一方、上記要件を満たさない場合（ＮＯ側）には、ＣＰＵ１９はＳ１０４に戻って上記動作を繰り返す。
【００５８】
（ステップＳ１０９）
ＣＰＵ１９は、レンズユニット１１を収納状態に戻すとともに、電子カメラ１の各部への電力供給を遮断して一連の処理を終了する。
【００５９】
（ステップＳ１１０）
ＣＰＵ１９は、レリーズ釦２７ａの半押しに応じて、ＡＦ演算、ＡＥ演算、ＡＷＢ演算をそれぞれ実行する。その後、ＣＰＵ１９は、記録用の画像の撮像が行われるか、あるいはレリーズ釦２７ａの半押し操作が解除されるまで、ＡＦ演算、ＡＥ演算、ＡＷＢ演算を停止して撮影条件のパラメータを固定する。
【００６０】
（ステップＳ１１１）
ＣＰＵ１９は、レリーズ釦２７ａが全押しされたか否かを判定する。レリーズ釦２７ａが全押しされた場合（ＹＥＳ側）にはＳ１１３に移行する。一方、レリーズ釦２７ａが全押しされていない場合（ＮＯ側）には、ＣＰＵ１９はＳ１１２に移行する。
【００６１】
（ステップＳ１１２）
ＣＰＵ１９は、レリーズ釦２７ａの半押しが解除されたか否かを判定する。レリーズ釦２７ａの半押しが解除された場合（ＹＥＳ側）には、ＣＰＵ１９はＳ１０４に戻って上記動作を繰り返す。一方、レリーズ釦２７ａの半押しが継続している場合（ＮＯ側）には、ＣＰＵ１９はＳ１１１に戻ってレリーズ釦２７ａの全押し操作を待機する。
【００６２】
（ステップＳ１１３）
ＣＰＵ１９は、現在のモードが「静止画撮影モード」か否かを判定する。「静止画撮影モード」の場合（ＹＥＳ側）にはＳ１１４に移行する。一方、「動画撮影モード」の場合（ＮＯ側）にはＳ１１５に移行する。
【００６３】
（ステップＳ１１４）
ＣＰＵ１９は、撮像素子１６を駆動させて記録用の静止画像の撮像を実行する。この記録用の静止画像の撮像は、Ｓ１１０で設定された撮影条件のパラメータに基づいて行われる。また、記録用の静止画像のデータは、信号処理部１７および画像処理部２９で所定の処理が施された後に、記録Ｉ／Ｆ２４を介して無線タグ付記憶媒体２のメインメモリ４３に記録される。そして、ＣＰＵ１９は、記録用の静止画像の撮像処理が終了した後に、スルー画像の取得動作を再開させる。なお、Ｓ１１４の処理が終了すると、ＣＰＵ１９はＳ１１８に処理を移行する。
【００６４】
（ステップＳ１１５）
ＣＰＵ１９は、撮像素子１６を駆動させて記録用の動画像の撮像を開始する。この記録用の動画像の撮像は、Ｓ１１０で設定された撮影条件のパラメータに基づいて行われる。また、一の実施形態の例では、動画像の画像サイズはＶＧＡサイズに設定されるものとする。
【００６５】
そして、記録用の動画像の各フレームのデータは、信号処理部１７および画像処理部２９で所定の処理が施された後に、例えば第１メモリ２０や無線タグ付記憶媒体２のメインメモリ４３などにバッファリングされる。
【００６６】
（ステップＳ１１６）
ＣＰＵ１９は、動画像の撮影終了指示があるか否かを判定する。例えば、ＣＰＵ１９は、レリーズ釦２７ａの全押しが解除されたときに、動画像の撮影終了指示があったものと判定する。上記要件を満たす場合（ＹＥＳ側）にはＳ１１７に移行する。一方、上記要件を満たさない場合（ＮＯ側）には、ＣＰＵ１９は動画像の撮像を継続する。
【００６７】
（ステップＳ１１７）
画像処理部２９は、ＣＰＵ１９の指示に応じて、記録用の動画像のデータを所定のファイル形式で生成する。そして、ＣＰＵ１９は、記録Ｉ／Ｆ２４を介して無線タグ付記憶媒体２のメインメモリ４３に、記録用の動画像のデータを記録する。なお、ＣＰＵ１９は、動画像のデータの記録が終了した後に、スルー画像の取得動作を再開させる。
【００６８】
（ステップＳ１１８）
ＣＰＵ１９は、無線タグ付記憶媒体２の補助メモリの情報更新処理を実行する。以下、図５を参照しつつ、補助メモリの情報更新処理のサブルーチンを説明する。
【００６９】
ステップＳ２０１：ＣＰＵ１９は、現在接続されている無線タグ付記憶媒体２に、ユーザーの指定した代表画像が設定されているか否かを判定する。具体的には、Ｓ２０１でのＣＰＵ１９は、補助メモリ４７から履歴データを探索する。そして、ＣＰＵ１９は、補助メモリ４７に履歴データが存在しない場合には、無線タグ付記憶媒体２に代表画像が存在しないものと判定する。
【００７０】
そして、代表画像が設定されている場合（ＹＥＳ側）にはＳ２０４に移行する。なお、この場合（Ｓ２０１のＹＥＳ側）には、ＣＰＵ１９は、無線タグ付記憶媒体２の補助メモリ４７に記憶されている識別画像を更新することはない。一方、代表画像が設定されていない場合（ＮＯ側）にはＳ２０２に移行する。
【００７１】
ステップＳ２０２：画像処理部２９は、ＣＰＵ１９の指示に応じて、今回撮像した記録用の画像を所定の画像サイズ（例えばＱＶＧＡサイズ）に縮小する解像度変換処理を行う。
【００７２】
ここで、静止画撮影モードのときには、Ｓ２０２での画像処理部２９は記録用の静止画像から縮小画像を生成する。また、動画撮影モードのときには、Ｓ２０２での画像処理部２９は、記録用の動画像のうち、最初のフレームから縮小画像を生成する。
【００７３】
ステップＳ２０３：ＣＰＵ１９は、Ｓ２０２で生成された縮小画像のデータを、無線タグ付記憶媒体２の補助メモリ４７に設定されている識別画像の記憶領域に上書き記録する。これにより、無線タグ付記憶媒体２において代表画像が設定されていないときには、メインメモリ４３に記憶されている撮像画像のうちで最後に撮像された画像に対応した縮小画像が、補助メモリ４７に識別画像として１フレーム分だけ記憶されることとなる。
【００７４】
ステップＳ２０４：ＣＰＵ１９は、無線タグ付記憶媒体２の補助メモリ４７に記憶されているディレクトリデータ（メインメモリ４３の残記憶容量やメインメモリ４３の最終更新日時）を更新する。これにより、無線タグ付記憶媒体２のディレクトリデータは、撮影が行われるたびにＣＰＵ１９によって更新される。その後、ＣＰＵ１９は、補助メモリ４７の情報更新処理のサブルーチンから、図４の流れ図の処理に復帰する。
【００７５】
そして、ＣＰＵ１９は、Ｓ１１８の処理後にＳ１０４に戻って上記動作を繰り返す。以上で、図４の流れ図の説明を終了する。
【００７６】
一の実施形態の電子カメラ１は、撮影モードにおいて記録用の画像が撮影されたときに、記録Ｉ／Ｆ２４を介して無線タグ付記憶媒体２の補助メモリ４７のデータを更新する。そのため、無線通信で補助メモリ４７のデータを更新する場合と比べて、データの書き換えを効率的に行うことができる。
【００７７】
また、一の実施形態の電子カメラ１は、代表画像が設定されていない場合には、最後に撮影された画像に対応する縮小画像のみを識別画像として補助メモリ４７に記録する。一方、一の実施形態の電子カメラ１は、代表画像が設定されている場合には、撮影ごとに識別画像の更新を行わずに、代表画像に対応する識別画像をそのまま維持する。そのため、一の実施形態では、識別性が高いと考えられる識別画像が１フレーム分のみ補助メモリ４７に残されるので、補助メモリ４７の記憶容量を少なくしても無線タグ付記憶媒体２の識別性を高めることが可能となる。
【００７８】
＜再生モードの動作説明＞
以下、図６、図７の流れ図を参照しつつ、一の実施形態における電子カメラ１の再生モードでの動作例を説明する。一の実施形態での再生モードには、「第１再生モード」と「第２再生モード」との２つのサブモードが含まれる。「第１再生モード」では、電子カメラ１が記録Ｉ／Ｆ２４を介して無線タグ付記憶媒体２のメインメモリ４３からデータを取得する。一方、「第２再生モード」では、電子カメラ１が無線通信によって無線タグ付記憶媒体２の補助メモリ４７からデータを取得する。
【００７９】
また、再生モードでの一連の処理は、図４の流れ図におけるＳ１０５の処理後に開始される。なお、再生モードにおける電子カメラ１の動作は、ＣＰＵ１９の実行するプログラムによって制御される。
【００８０】
（ステップＳ３０１）
ＣＰＵ１９は、記録Ｉ／Ｆ２４から再生対象の画像のデータの読み込みを行う。具体的には、Ｓ３０１でのＣＰＵ１９は、無線タグ付記憶媒体２のメインメモリ４３から最後に撮像された画像のデータを再生対象として読み込む。なお、記録Ｉ／Ｆ２４に無線タグ付記憶媒体２が接続されていない場合には、ＣＰＵ１９はこのステップを省略してＳ３０２に移行してもよい。
【００８１】
（ステップＳ３０２）
ＣＰＵ１９は、現在のモードが「第２再生モード」であるか否かを判定する。例えば、操作部２７の操作で「第１再生モード」と「第２再生モード」との切り替えを行なう場合には、ＣＰＵ１９は操作部２７の状態を読み出して「第２再生モード」であるか否かを判定する。
【００８２】
また、ＣＰＵ１９は、無線タグ付記憶媒体２が電子カメラ１のアンテナ２６近傍にあるときに、自動的に「第２再生モード」を立ち上げてもよい。一例として、ＣＰＵ１９は、アンテナ２６から周期的に電磁波を送出し、無線タグ付記憶媒体２が近くにあることで負荷の変動が生じたときに「第２再生モード」を立ち上げてもよい。あるいは、電子カメラ１のアンテナ２６近傍に光センサ（不図示）を設けて、無線タグ付記憶媒体２の接近を検出したときにＣＰＵ１９が「第２再生モード」を立ち上げてもよい。
【００８３】
「第２再生モード」の場合（ＹＥＳ側）にはＳ３０３に移行する。一方、「第１再生モード」の場合（ＮＯ側）にはＳ３０５に移行する。
【００８４】
（ステップＳ３０３）
ＣＰＵ１９は、非接触状態にある無線タグ付記憶媒体２から、識別画像のデータおよびディレクトリデータを無線通信によって取得する。具体的には、まず、ＣＰＵ１９は、アンテナ２６を介して電磁波を送出することで無線タグ付記憶媒体２に電力を供給する。
【００８５】
そして、上記の電力を用いて無線タグ付記憶媒体２が駆動すると、ＣＰＵ１９は、無線タグ付記憶媒体２の無線通信部４４を動作させて、補助メモリ４７から読み出された識別画像のデータおよびディレクトリデータを無線通信で取得する。
【００８６】
（ステップＳ３０４）
ＣＰＵ１９は、Ｓ３０３で取得した識別画像をモニタ２３に表示する。また、ＣＰＵ１９は、Ｓ３０３で取得したディレクトリデータに基づいて、無線タグ付記憶媒体２におけるメインメモリ４３の残記憶容量および最終更新日時もモニタ２３に表示する。これにより、電子カメラ１の記録Ｉ／Ｆ２４に無線タグ付記憶媒体２を接続しなくとも、ユーザーは、無線タグ付記憶媒体２に関する各種の情報をモニタ２３で簡単に確認することができる。
【００８７】
その後、無線タグ付記憶媒体２が電子カメラ１から離れるか、あるいは操作部２７から第２再生モードの終了指示を受け付けると、ＣＰＵ１９はＳ３０２に戻って上記動作を繰り返す。
【００８８】
（ステップＳ３０５）
ＣＰＵ１９は、「第１再生モード」において、現在の再生対象が静止画像のデータか否かを判定する。再生対象が静止画像のデータの場合（ＹＥＳ側）にはＳ３０６に移行する。一方、再生対象が動画像のデータの場合（ＮＯ側）にはＳ３１１に移行する。
【００８９】
（ステップＳ３０６）
ＣＰＵ１９は、現在の再生対象の静止画像をモニタ２３に再生表示する。
【００９０】
（ステップＳ３０７）
ＣＰＵ１９は、静止画像のデータの削除指示（削除釦２７ｆの押圧）があったか否かを判定する。上記要件を満たす場合（ＹＥＳ側）にはＳ３０８に移行する。一方、上記要件を満たさない場合（ＮＯ側）にはＳ３２１に移行する。
【００９１】
（ステップＳ３０８）
ＣＰＵ１９は、削除しようとする静止画像が代表画像であるか否かを確認する削除チェック処理を行う。以下、図８を参照しつつ、削除チェック処理のサブルーチンを説明する。
【００９２】
ステップＳ４０１：ＣＰＵ１９は、削除しようとする画像が、代表画像であるか否かを判定する。一例として、Ｓ４０１でのＣＰＵ１９は、削除しようとする撮像画像のデータのヘッダ領域を参照し、代表画像識別データがある場合には代表画像であると判定する。
【００９３】
上記要件を満たす場合（ＹＥＳ側）にはＳ４０２に移行する。一方、上記要件を満たさない場合（ＮＯ側）にはＳ４０９に移行する。
【００９４】
ステップＳ４０２：ＣＰＵ１９は、削除しようとする画像が代表画像である旨をユーザーに対して警告する。一例として、Ｓ４０２でのＣＰＵ１９は、モニタ２３上に「代表画像です。削除してもよろしいですか？  ＹＥＳ／ＮＯ」などの文字表示を行ない、ユーザーに対して代表画像の削除確認入力を要求する。このとき、ＣＰＵ１９は、スピーカー（不図示）から警告音を出力してもよい。
【００９５】
ステップＳ４０３：ＣＰＵ１９は、代表画像の削除確認入力（Ｓ４０２）があったか否かを判定する。代表画像の削除確認入力があった場合（ＹＥＳ側）にはＳ４０４に移行する。一方、代表画像の削除がキャンセルされた場合（ＮＯ側）には、ＣＰＵ１９は削除チェック処理のサブルーチンを終了するとともに、図６、図７の流れ図におけるＳ３２１の処理に復帰する。
【００９６】
ステップＳ４０４：ＣＰＵ１９は、無線タグ付記憶媒体２の補助メモリ４７に記憶されている履歴データを参照する。そして、ＣＰＵ１９は、メインメモリ４３に残されている過去の代表画像のうちで、代表画像として最も新しい画像を検出する。
【００９７】
具体的には、ＣＰＵ１９は、履歴データに基づいて、今回削除される代表画像よりも１つ前に代表画像であった画像を検索する。上記の画像を検出できた場合には、ＣＰＵ１９はＳ４０５に処理を移行する。一方、上記の画像がメインメモリ４３から削除されている場合には、ＣＰＵ１９は、今回削除される代表画像よりも２つ前に代表画像であった画像を検索する。以後、同様の手順によって、ＣＰＵ１９は、履歴データ上でのファイル名の並び順にしたがって過去の代表画像を順次検索する。
【００９８】
ステップＳ４０５：ＣＰＵ１９は、Ｓ４０４において過去の代表画像が検出できたか否かを判定する。上記要件を満たす場合（ＹＥＳ側）にはＳ４０６に移行する。一方、上記要件を満たさない場合（ＮＯ側）にはＳ４０８に移行する。
【００９９】
ステップＳ４０６：ＣＰＵ１９は、過去の代表画像のうちで、代表画像として最も新しい画像（Ｓ４０４で検出された画像）を再び代表画像に設定する。そして、ＣＰＵ１９は、新たな代表画像のデータに代表画像識別データを対応付けするとともに、履歴データの編集を行う。
【０１００】
ステップＳ４０７：画像処理部２９は、ＣＰＵ１９の指示に応じて、新たな代表画像のデータ（Ｓ４０６）に解像度変換処理を施して縮小画像を生成する。そして、ＣＰＵ１９は、新たな代表画像に対応する縮小画像のデータを、識別画像として補助メモリ４７に上書きする。その後、ＣＰＵ１９はＳ４０９に処理を移行する。
【０１０１】
これにより、過去の代表画像がメインメモリ４３に存在するときには、代表画像が削除されると、過去の代表画像が識別画像として選択されることとなる。
【０１０２】
ステップＳ４０８：画像処理部２９は、ＣＰＵ１９の指示に応じて、撮像画像のうちで最後に撮像された画像に対応する縮小画像を生成する。そして、ＣＰＵ１９は、最後に撮像された画像に対応する縮小画像のデータを、識別画像として補助メモリ４７に上書きする。なお、この場合には代表画像が存在しないため、ＣＰＵ１９は補助メモリ４７から履歴データを削除する。
【０１０３】
これにより、過去の代表画像がメインメモリ４３に存在しないときには、代表画像が削除されると、最後に撮像された画像が識別画像として選択されることとなる。
【０１０４】
ステップＳ４０９：ＣＰＵ１９は、無線タグ付記憶媒体２の補助メモリ４７のディレクトリデータ（メインメモリ４３の残記憶容量、メインメモリ４３の最終更新日時など）を更新する。これにより、無線タグ付記憶媒体２のディレクトリデータは、メインメモリ４３に記憶された画像の削除に応じてＣＰＵ１９により更新される。その後、ＣＰＵ１９は、削除チェック処理のサブルーチンから、図６、図７の流れ図の処理に復帰する。
【０１０５】
（ステップＳ３０９）
ＣＰＵ１９は、現在再生されている画像のデータを、無線タグ付記憶媒体２のメインメモリ４３から削除する。
【０１０６】
（ステップＳ３１０）
ＣＰＵ１９は、メインメモリ４３に記憶されている撮像画像のうち、Ｓ３０９で削除した画像よりも撮影順が１つ前の画像を再生対象に設定する。そして、ＣＰＵ１９は、記録Ｉ／Ｆ２４から新たな再生対象の画像のデータを読み込む。その後、ＣＰＵ１９はＳ３２３に処理を移行する。
【０１０７】
（ステップＳ３１１）
ＣＰＵ１９は、現在の再生対象である動画像の先頭フレームをモニタ２３に表示する。
【０１０８】
（ステップＳ３１２）
ＣＰＵ１９は、現在の再生対象である動画像の再生開始指示があったか否かを判定する。上記要件を満たす場合（ＹＥＳ側）にはＳ３１３に移行する。一方、上記要件を満たさない場合（ＮＯ側）にはＳ３１７に移行する。
【０１０９】
（ステップＳ３１３）
ＣＰＵ１９は、動画像の再生開始指示（Ｓ３１２）に応じて、モニタ２３に動画像を再生表示させる。
【０１１０】
（ステップＳ３１４）
ＣＰＵ１９は、動画像の再生中に再生停止操作があったか否かを判定する。上記要件を満たす場合（ＹＥＳ側）にはＳ３１５に移行する。一方、上記要件を満たさない場合（ＮＯ側）にはＳ３１６に移行する。
【０１１１】
（ステップＳ３１５）
ＣＰＵ１９は、動画像の再生を停止するとともに、Ｓ３１７に処理を移行する。
【０１１２】
（ステップＳ３１６）
ＣＰＵ１９は、再生対象の動画像の全フレームを再生し終えたか否かを判定する。動画像の再生がすべて終了した場合（ＹＥＳ側）にはＳ３１７に移行する。一方、動画像の再生が終了していない場合（ＮＯ側）には、ＣＰＵ１９はＳ３１４に戻って上記動作を繰り返す。
【０１１３】
（ステップＳ３１７）
ＣＰＵ１９は、動画像のデータの削除指示（削除釦２７ｆの押圧）があったか否かを判定する。上記要件を満たす場合（ＹＥＳ側）にはＳ３１８に移行する。一方、上記要件を満たさない場合（ＮＯ側）にはＳ３２１に移行する。
【０１１４】
（ステップＳ３１８）
ＣＰＵ１９は、削除しようとする動画像の先頭フレームが代表画像であるか否かを確認する削除チェック処理を行う。なお、Ｓ３１８での削除チェック処理は、Ｓ３０８の場合と同様であるため重複説明は省略する。
【０１１５】
（ステップＳ３１９）
ＣＰＵ１９は、現在再生対象となっている動画像のデータを、無線タグ付記憶媒体２のメインメモリ４３から削除する。
【０１１６】
（ステップＳ３２０）
ＣＰＵ１９は、メインメモリ４３に記憶されている撮像画像のうち、Ｓ３０９で削除した動画像よりも撮影順が１つ前の画像を再生対象に設定する。そして、ＣＰＵ１９は、記録Ｉ／Ｆ２４から新たな再生対象の画像のデータを読み込む。その後、ＣＰＵ１９はＳ３２３に処理を移行する。
【０１１７】
（ステップＳ３２１）
ＣＰＵ１９は、静止画像または動画像の削除が行われない場合において、再生対象の画像の変更操作があったか否かを判定する。再生対象の画像の変更操作があった場合（ＹＥＳ側）にはＳ３２２に移行する。一方、再生対象の画像の変更操作がない場合（ＮＯ側）にはＳ３２３に移行する。
【０１１８】
（ステップＳ３２２）
ＣＰＵ１９は、メインメモリ４３に記憶されている撮像画像のうち、Ｓ３２１の変更操作で指定された画像を新たな再生対象に設定する。そして、ＣＰＵ１９は、記録Ｉ／Ｆ２４から新たな再生対象の画像のデータを読み込む。
【０１１９】
（ステップＳ３２３）
ＣＰＵ１９は、新たな再生対象の画像を対象として、代表画像の指定処理を行う。以下、図９を参照しつつ、代表画像の指定処理のサブルーチンを説明する。なお、図９の例では、簡単のため静止画像のデータが新たな再生対象となることを前提として説明を行うが、動画像のデータの場合についてもほぼ同様の処理が行われることはいうまでもない。
【０１２０】
ステップＳ５０１：ＣＰＵ１９は、現在の再生対象の画像が代表画像であるか否かを判定する。一例として、Ｓ５０１でのＣＰＵ１９は、撮像画像のデータのヘッダ領域を参照し、代表画像識別データがある場合には代表画像であると判定する。
【０１２１】
上記要件を満たす場合（ＹＥＳ側）にはＳ５０２に移行する。一方、上記要件を満たさない場合（ＮＯ側）にはＳ５０３に移行する。
【０１２２】
ステップＳ５０２：ＣＰＵ１９は、モニタ２３に代表画像を再生表示する。このとき、ＣＰＵ１９は、再生中の画像が代表画像であることを示すマーク（例えば「代表画像」の文字表示など）をモニタ２３の再生画像に重畳させる（図１０参照）。これにより、ユーザーは、モニタ２３に再生されている画像が代表画像であることを容易に認識できる。その後、ＣＰＵ１９は代表画像の指定処理のサブルーチンから、図６、図７の流れ図の処理に復帰する。
【０１２３】
ステップＳ５０３：ＣＰＵ１９は、現在の再生対象の画像を代表画像に指定する操作を受け付けたか否かを判定する。上記要件を満たす場合（ＹＥＳ側）にはＳ５０４に移行する。一方、上記要件を満たさない場合（ＮＯ側）には、ＣＰＵ１９は代表画像の指定処理のサブルーチンから、図６、図７の流れ図の処理に復帰する。
【０１２４】
ステップＳ５０４：画像処理部２９は、ＣＰＵ１９の指示に応じて、Ｓ５０３で新たに指定された代表画像から縮小画像を生成する。このとき、ＣＰＵ１９は、ユーザーから画像のトリミング指示を受け付けたか否かを判定する。上記要件を満たす場合（ＹＥＳ側）にはＳ５０５に移行する。一方、上記要件を満たさない場合（ＮＯ側）にはＳ５０６に移行する。
【０１２５】
ステップＳ５０５：画像処理部２９は、トリミングによって代表画像の部分領域から縮小画像を生成する。その後、ＣＰＵ１９はＳ５０７に処理を移行する。なお、Ｓ５０５でのトリミングは、縮小画像の生成範囲を決定するためのものであり、メインメモリ４３に記憶されている画像のデータはそのままの状態で保持される。
【０１２６】
一例として、画像処理部２９は、モニタ２３に代表画像とともにトリミングの範囲および位置を示す枠を重畳表示して、画像のトリミングの範囲および位置をユーザーに指定させる。このとき、画像処理部２９は、ユーザーのズーム釦２７ｂの操作に応じて上記の枠表示の範囲を変更する（図１１（ａ）参照）。また、画像処理部２９は、ユーザーの十字キー２７ｃの操作に応じて上記の枠表示の位置を変更する（図１１（ｂ）参照）。そして、画像処理部２９は、決定釦２７ｄの押圧によりトリミングの範囲および位置を確定する。その後、画像処理部２９は、トリミング後の代表画像から縮小画像を生成する。これにより、ユーザーが識別画像をカスタマイズすることができ、無線タグ付記憶媒体２における識別画像での識別性を一層向上させることができる。
【０１２７】
また、他の例として、画像処理部２９は、代表画像に対して公知の顔検出処理を行い、人物の顔の位置を基準としてトリミングの範囲および位置を自動的に決定してもよい。例えば、画像処理部２９は、代表画像に含まれる人物の顔が中央で一定の大きさとなるようにトリミングを行う。この場合には、ユーザーが人物をより認識しやすい識別画像を生成できる。
【０１２８】
ステップＳ５０６：この場合には、画像処理部２９は、ＣＰＵ１９の指示に応じて、Ｓ５０３で新たに指定された代表画像をそのまま縮小して縮小画像を生成する。
【０１２９】
ステップＳ５０７：ＣＰＵ１９は、Ｓ５０５またはＳ５０６で生成された縮小画像のデータを、識別画像として補助メモリ４７に上書きする。
【０１３０】
ステップＳ５０８：ＣＰＵ１９は、新たな代表画像のデータに代表画像識別データを対応付けする。また、ＣＰＵ１９は、過去の代表画像のデータに対応付けされている代表画像識別データを削除するとともに、履歴データの更新を行う。その後、ＣＰＵ１９は代表画像の指定処理のサブルーチンから、図６、図７の流れ図の処理に復帰する。
【０１３１】
（ステップＳ３２４）
ＣＰＵ１９は、再生モードの終了操作を受け付けたか否かを判定する。再生モードの終了操作があった場合（ＹＥＳ側）にはＳ３２５に移行する。一方、再生モードの終了操作がない場合（ＮＯ側）にはＳ３２６に移行する。
【０１３２】
（ステップＳ３２５）
ＣＰＵ１９は、無線タグ付記録媒体に記憶されている画像の再生表示を終了するとともに、撮像素子１６を再び駆動させてスルー画像の撮像を開始する。その後、ＣＰＵ１９は動作モードを撮影モードに変更し、図４の流れ図におけるＳ１０４の処理に移行する。
【０１３３】
（ステップＳ３２６）
ＣＰＵ１９は、電源オフの操作を受け付けたか否かを判定する。上記要件を満たす場合（ＹＥＳ側）にはＳ３２７に移行する。一方、上記要件を満たさない場合（ＮＯ側）には、ＣＰＵ１９はＳ３０２に戻って上記動作を繰り返す。
【０１３４】
（ステップＳ３２７）
ＣＰＵ１９は、レンズユニット１１を収納状態に戻すとともに、電子カメラ１の各部への電力供給を遮断して一連の処理を終了する。以上で、図６、図７の流れ図の説明を終了する。
【０１３５】
一の実施形態の電子カメラ１は、再生モードにおいて代表画像の削除や代表画像の指定を行ったときに、記録Ｉ／Ｆ２４を介して無線タグ付記憶媒体２の補助メモリ４７のデータを更新する。そのため、無線通信で補助メモリ４７のデータを更新する場合と比べて、データの書き換えを効率的に行うことができる。
【０１３６】
また、一の実施形態では、代表画像のデータに代表画像識別データを対応付けて記録することで、代表画像の削除や代表画像の再生表示のときの利便性が向上し、無線タグ付記録媒体での画像の管理を効率的に行うことが可能となる。
【０１３７】
＜実施形態の補足事項＞
（１）本発明において、無線タグ付記憶媒体の読取機器の構成は電子カメラに限定されるものではない。例えば、画像表示機能を有するが撮影機能を有しない電子機器（画像のビューアー）に、無線タグ読取制御部２５およびアンテナ２６を設けて読取機器を構成してもよい。また、撮影機能を有しない電子機器において、上記実施形態の再生モードの動作を実行させてもよい。
【０１３８】
（２）上記実施形態では、履歴データを補助メモリ４７に記録した例を説明したが、メインメモリ４３に履歴データを記録するようにしてもよい。また、上記実施形態において補助メモリ４７およびメインメモリ４３にそれぞれ履歴データを記録してもよい。
【０１３９】
（３）上記実施形態では、代表画像のデータのヘッダに代表画像識別データを対応付けて記録する例を説明したが、代表画像識別データは代表画像のデータと別のファイルで構成するようにしてもよい。
【０１４０】
（４）上記実施形態では、識別画像が１つの撮像画像のみから生成される例を説明したが、識別画像の１フレームに複数の画像を含めるようにしてもよい。また、補助メモリ４７の記憶容量を十分に小さくすることを前提として、補助メモリ４７に複数の識別画像を記録するようにしてもよい。
【０１４１】
（５）上記実施形態の無線タグ付記憶媒体２は、無線通信時においてメインメモリコントローラ４２やメインメモリ４３への電力供給をダイオードでカットする例を説明した。しかし、本発明では、無線通信時において無線通信部４４がメインメモリコントローラ４２やメインメモリ４３に対してイネーブル信号を出力することで動作を不能化する構成であってもよい。なお、図３に示す無線タグ付記憶媒体２の例において、第２ダイオード４９は必ずしも設けなくともよい。
【０１４２】
（６）また、上記実施形態の無線タグ付記憶媒体２は、電子カメラ１の記録Ｉ／Ｆ２４に挿したままの状態で、他の読取機器との間で無線通信を確立させることも可能である。そのため、上記の場合には、無線タグ付記憶媒体２に対して、媒体側端子４１からの電力と、無線通信部４４からの電力とが両方とも供給されうる。
【０１４３】
（７）上記実施形態および変形例の構成はあくまで一例にすぎない。そのため、本発明を実施するときには、上述の実施形態および変形例に示す構成やその処理の順序についてあらゆる組み合わせをとることができる。
【０１４４】
以上の詳細な説明により、実施形態の特徴点および利点は明らかになるであろう。これは、特許請求の範囲が、その精神および権利範囲を逸脱しない範囲で前述のような実施形態の特徴点および利点にまで及ぶことを意図する。また、当該技術分野において通常の知識を有する者であれば、あらゆる改良および変更に容易に想到できるはずであり、発明性を有する実施形態の範囲を前述したものに限定する意図はなく、実施形態に開示された範囲に含まれる適当な改良物および均等物によることも可能である。
【図面の簡単な説明】
【０１４５】
【図１】一の実施形態の電子カメラシステムの構成例を示すブロック図
【図２】無線タグ付記憶媒体のデータを無線によって電子カメラで読み取る状態を示す模式図
【図３】一の実施形態の無線タグ付記憶媒体の構成例を示すブロック図
【図４】一の実施形態における電子カメラの撮影モードでの動作例を示す流れ図
【図５】補助メモリの情報更新処理のサブルーチンの動作例を示す流れ図
【図６】一の実施形態における電子カメラの再生モードでの動作例を示す流れ図
【図７】図６の続きの流れ図
【図８】削除チェック処理のサブルーチンの動作例を示す流れ図
【図９】代表画像の指定処理のサブルーチンの動作例を示す流れ図
【図１０】代表画像の再生表示状態の一例を示す図
【図１１】（ａ）トリミングの範囲の指定を示す図、（ｂ）トリミングの位置の指定を示す図
【符号の説明】
【０１４６】
１…電子カメラ、２…無線タグ付記憶媒体、１６…撮像素子、１７…信号処理部、１８…撮像制御部、１９…ＣＰＵ、２２…表示制御部、２３…モニタ、２４…記録Ｉ／Ｆ、２５…無線タグ読取制御部、２６…アンテナ、２７…操作部、２９…画像処理部、３０…機器側端子、４１…媒体側端子、４２…メインメモリコントローラ、４３…メインメモリ、４４…無線通信部、４５…アンテナ、４６…補助メモリコントローラ、４７…補助メモリ、４８…第１ダイオード、４９…第２ダイオード、ＰＷＲ…電力供給線
【図１】
2010039635.tif 000003
【図２】
2010039635.tif 000004
【図３】
2010039635.tif 000005
【図４】
2010039635.tif 000006
【図５】
2010039635.tif 000007
【図６】
2010039635.tif 000008
【図７】
2010039635.tif 000009
【図８】
2010039635.tif 000010
【図９】
2010039635.tif 000011
【図１０】
2010039635.tif 000012
【図１１】
2010039635.tif 000013